(57)【要約】【課題】状差しの不使用時において状差し部材の先端部を保護するとともに、状差しの使用時において紙などの記録媒体の状差し部材への差込み作業を容易に行うために状差し部材の先端部を開放する状態を維持することができる状差しを提供する。【解決手段】記録媒体を差し込む状差し部材１４と、支柱部材１６に回動可能に支持され通常時において状差し部材１４の先端部を覆うことが可能な蓋部材２６と、を有する状差し１０において、蓋部材２６を支柱部材１６に対し回動させて状差し部材１４の先端部を開放する状態を維持するロック部材２２を設けた構成とした。【選択図】      図１
2006159710.tif 000002
【特許請求の範囲】
【請求項１】
記録媒体を差し込む状差し部材と、支柱部材に回動可能に支持され通常時において前記状差し部材の先端部を覆うことが可能な蓋部材と、を有する状差しにおいて、
前記蓋部材を前記支柱部材に対し回動させて前記状差し部材の先端部を開放する状態を維持するロック部材を設けたことを特徴とする状差し。
【請求項２】
前記ロック部材は、前記蓋部材を押し上げて、前記状差し部材の先端部を開放する状態を維持する押上部を有することを特徴とする請求項１に記載の状差し。
【請求項３】
前記蓋部材には、前記押上部と接触するための接触片が形成されていることを特徴とする請求項２に記載の状差し。
【請求項４】
前記支柱部材に前記ロック部材が上下方向に沿って移動可能となるように取り付けられていることを特徴とする請求項１乃至３のいずれか１項に記載の状差し。
【請求項５】
前記ロック部材が上方に移動したときの前記ロック部材の位置を維持するためのストッパー部を有することを特徴とする請求項４に記載の状差し。
【請求項６】
前記ストッパー部は、前記ロック部材に設けられた係合部と、前記支柱部材に設けられ前記係合部と係合する被係合部と、で構成されていることを特徴とする請求項５に記載の状差し。
【請求項７】
前記係合部は凸部又は凹部であり、前記被係合部は凹部又は凸部であることを特徴とする請求項６に記載の状差し。
【請求項８】
前記ロック部材に、前記ロック部材の操作時に前記ロック部材に対する滑りを防止するための滑止め部を設けたことを特徴とする請求項１乃至７のいずれか１項に記載の状差し。
【請求項９】
前記支柱部材の表面上であって前記記録媒体が前記状差し部材に差し込まれて積層された積層領域に臨む部位以外の部位に、前記ロック部材を操作する操作部を設けたことを特徴とする請求項１乃至８のいずれか１項に記載の状差し。
【請求項１０】
前記ロック部材により前記蓋部材が押し上げられた状態で、前記蓋部材の重心が前記支柱部材よりも状差し部材側に位置していることを特徴とする請求項１乃至９のいずれか１項に記載の状差し。
【発明の詳細な説明】
【技術分野】
【０００１】
本発明は、紙などの記録媒体を差し込み、保管することができる状差しに関する。
【背景技術】
【０００２】
従来の状差しとして、例えば、台盤と、台盤に設けられたガイド支柱と、台盤に取り付けられたピンと、ガイド支柱に摺動自在に設けられ内部にバネを収容した頭部と、を備えたものが知られている（下記特許文献１参照）。
この状差しは、バネの弾性力により常にピンの先端部と頭部の天井とが離間しており、ピンの先端部上に紙を載置した状態で頭部をバネの弾性力に抗して押し下げると紙をそのままピンに差し込むことができるものである。
【０００３】
また、別の従来の状差しとして、例えば、状差し本体と、状差し本体に設けられた棒と、状差し本体に設けられた支持部材と、支持部材の上端部に設けられた軸の軸回りに回転可能に取り付けられた把手と、を備えたものが知られている（下記特許文献３参照）。
この状差しは、紙を棒の先端部に載置し把手を棒に向かって軸の軸回りに回転させることにより紙を棒に差し込むことができるとともに、状差しの不使用時には把手を棒に向かって軸の軸回りに回転させ棒の先端部と接触させることにより棒の先端部を容易に保護することができる。
【特許文献１】実開昭５０−１３５２１４号公報
【特許文献２】実公昭２６−１２８０４号公報
【特許文献３】特開昭４９−６３５２４号公報
【発明の開示】
【発明が解決しようとする課題】
【０００４】
ところで、上記特許文献１に記載の状差しは、バネの弾性力により常にピンの先端部と頭部の天井とが離間しており、状差しの不使用時にピンの先端部を保護することができない問題があった。
また、上記特許文献３に記載の状差しでは、把手と棒の先端部とを接触させることにより棒の先端部を容易に保護することができるものの、把手と棒の先端部とを離間させ非接触状態を維持させることができないため、状差しの使用時において棒の先端部に紙を載置させるために把手をその都度上方に回転させなければならなかった。このため、紙の差込み作業が煩雑かつ不便となる問題があった。
【０００５】
そこで、本発明は、上記事情を考慮し、状差しの不使用時において状差し部材の先端部を保護するとともに、状差しの使用時において紙などの記録媒体の状差し部材への差込み作業を容易に行うために状差し部材の先端部を開放する状態を維持することができる状差しを提供することを目的とする。
【課題を解決するための手段】
【０００６】
請求項１に記載の発明は、記録媒体を差し込む状差し部材と、支柱部材に回動可能に支持され通常時において前記状差し部材の先端部を覆うことが可能な蓋部材と、を有する状差しにおいて、前記蓋部材を前記支柱部材に対し回動させて前記状差し部材の先端部を開放する状態を維持するロック部材を設けたことを特徴とする。
【０００７】
請求項２に記載の発明は、請求項１に記載の状差しにおいて、前記ロック部材は、前記蓋部材を押し上げて、前記状差し部材の先端部を開放する状態を維持する押上部を有することを特徴とする。
【０００８】
請求項３に記載の発明は、請求項２に記載の状差しにおいて、前記蓋部材には、前記押上部と接触するための接触片が形成されていることを特徴とする。
【０００９】
請求項４に記載の発明は、請求項１乃至３のいずれか１項に記載の状差しにおいて、前記蓋部材を取り付ける支柱部材を有し、前記支柱部材に前記ロック部材が上下方向に沿って移動可能となるように取り付けられていることを特徴とする。
【００１０】
請求項５に記載の発明は、請求項４に記載の状差しにおいて、前記ロック部材が上方に移動したときの前記ロック部材の位置を維持するためのストッパー部を有することを特徴とする。
【００１１】
請求項６に記載の発明は、請求項５に記載の状差しにおいて、前記ストッパー部は、前記ロック部材に設けられた係合部と、前記支柱部材に設けられ前記係合部と係合する被係合部と、で構成されていることを特徴とする。
【００１２】
請求項７に記載の発明は、請求項６に記載の状差しにおいて、前記係合部は凸部又は凹部であり、前記被係合部は凹部又は凸部であることを特徴とする。
【００１３】
請求項８に記載の発明は、請求項１乃至７のいずれか１項に記載の状差しにおいて、前記ロック部材に、前記ロック部材の操作時に前記ロック部材に対する滑りを防止するための滑止め部を設けたことを特徴とする。
【００１４】
請求項９に記載の発明は、請求項１乃至８のいずれか１項に記載の状差しにおいて、前記支柱部材の表面上であって前記記録媒体が前記状差し部材に差し込まれて積層された積層領域に臨む部位以外の部位に、前記ロック部材を操作する操作部を設けたことを特徴とする。
【００１５】
請求項１０に記載の発明は、請求項１乃至９のいずれか１項に記載の状差しにおいて、前記ロック部材により前記蓋部材が押し上げられた状態で、前記蓋部材の重心が前記支柱部材よりも状差し部材側に位置していることを特徴とする。
【発明の効果】
【００１６】
請求項１に記載の発明によれば、状差しはロック部材を備えているため、蓋部材が状差し部材の先端部を開放させる状態を維持することができる。これにより、上記従来技術の状差しとは異なり、蓋部材をその都度上げることなく、状差し部材の先端部と蓋部材との間から紙などの記録媒体を状差し部材の先端部から続けて差し込むことができる。この結果、記録媒体の状差し部材への差込み作業を単純かつ容易に行うことができる。
また、状差しの不使用時には、常に蓋部材が状差し部材の先端部を覆っているため、状差し部材の先端部を容易に保護することができる。
なお、本明細書において、「通常時」とは、蓋部材又は／及び状差し部材に外力が作用しない状態を意味するものとする。
【００１７】
請求項２に記載の発明によれば、ロック部材は押上部を有しているため、蓋部材を押し上げて、状差し部材の先端部を開放させる状態を維持することができる。これにより、簡易な構成で容易に状差し部材の先端部を開放させる状態を維持するこができる。
【００１８】
請求項３に記載の発明によれば、蓋部材には押上部と接触するための接触片が形成されているため、接触片がロック部材の押上部と接触し押し上げられることにより、蓋部材を容易に押し上げることができる。このように、蓋部材の一部に接触片を形成するだけで足りるため、蓋部材を押上部と接触させるために、蓋部材全体を大型化する必要がない。この結果、状差しを小型化することができる。
【００１９】
請求項４に記載の発明によれば、支柱部材にロック部材が上下方向に沿って移動可能となるように取り付けられているため、ロック部材を上下方向に沿って移動させるだけで、状差し部材の先端部の開放状態又は蓋部材により状差し部材の先端部が覆われた状態を実現させることができる。
【００２０】
請求項５に記載の発明によれば、状差しはストッパー部を有しているため、ロック部材が上方に移動したときのロック部材の位置（上方位置）を維持することができる。これにより、ロック部材が不意に下方に下がることがなく、状差し部材の先端部の開放状態が確実に維持される。
【００２１】
請求項６に記載の発明によれば、ストッパー部は、ロック部材に設けられた係合部と、支柱部材に設けられ係合部と係合する被係合部と、で構成されているため、係合部と被係合部とを係合させることにより、ロック部材が上方に移動したときのロック部材の位置（上方位置）を容易に維持することができる。
【００２２】
請求項７に記載の発明によれば、係合部は凸部又は凹部であり、被係合部は凹部又は凸部であるため、係合部及び被係合部を簡易な構成にすることができる。これにより、状差しにストッパー部を設けたことによる製造コストの大幅な増加を防止することができる。
【００２３】
請求項８に記載の発明によれば、ロック部材には滑止め部が設けられているため、ロック部材の指での操作時におけるロック部材に対する滑りを防止することができる。これにより、ロック部材の操作性を向上させることができる。
【００２４】
請求項９に記載の発明によれば、支柱部材の表面上であってかつ記録媒体が状差し部材に差し込まれて積層された積層領域に臨む部位以外の部位には、ロック部材を操作する操作部が設けられているため、記録媒体が状差し部材に差し込まれて積層されている状態でも、操作部が状差しの外方に臨んでいるため、操作部によりロック部材を容易に操作することができる。
【００２５】
請求項１０に記載の発明によれば、ロック部材により蓋部材が押し上げられた状態で、蓋部材の重心が支柱部材よりも状差し部材側に位置しているため、ロック部材を下方に下げると、蓋部材がその自重により軸回りに回動し、蓋部材が状差し部材の先端部を覆う。これにより、蓋部材により状差し部材の先端部が覆われた状態を容易に実現させることができる。
【発明を実施するための最良の形態】
【００２６】
次に、本発明の実施形態の状差しについて、図面を参照して説明する。
図１乃至図５に示すように、本実施形態の状差し１０は、平面視で四角形状の土台部材１２を有している。この土台部材１２の上面の略中心には、鉛直方向（図１中矢印Ａ方向）に延びる円柱状の状差し部材（例えば、ピンなど）１４が取り付けられている。この状差し部材１４は金属で構成されており、図５に示すように、その先端部近傍から先端部にかけて縮径するように傾斜している。
【００２７】
また、土台部材１２の上面であって一方の側片側には、状差し部材１４と略平行に鉛直方向（図１中矢印Ａ方向）に延びる支柱部材１６が取り付けられている。この支柱部材１６は、本実施形態では樹脂で構成されており、略直方形状に形成されている。また、図４に示すように、支柱部材１６の状差し部材１４の反対側に位置する裏面１６Ｒには、鉛直方向に延びる複数のリブ１８が所定の間隔をあけて形成されている。このリブ１８間には、厚み方向（図２矢印Ｂ方向）に貫通した複数の貫通孔２０が形成されている。この貫通孔２０は、鉛直方向に所定の長さに延びた長孔となっている。
【００２８】
また、図５及び図６に示すように、支柱部材１６の状差し部材１４側の表面１６Ｆには、厚みを小さくしてロック部材２２（後述）を配置させるための溝部１６Ｓが形成されている。この溝部１６Ｓの先端部には、ロック部材２２に形成されている凸部（ストッパー部、係合部）２２Ｅと係合する凹部（ストッパー部、被係合部）１６Ｔが形成されている。
【００２９】
また、溝部１６Ｓには、ロック部材２２が配置されている。このロック部材２２は、正面視（図１参照）にて略長方形状のロック部材本体２２Ａと、ロック部材本体２２Ａに一体形成された爪部２２Ｂと、で構成されている。このロック部材本体２２Ａの上端部には、ロック部材本体２２Ａの厚みよりも厚めに形成された押上部２２Ｃが形成されている。また、ロック部材本体２２Ａの状差し部材１４側の表面には、水平方向（図２中矢印Ｂ方向）に延びる突出部（滑止め部）２２Ｄが形成されている。この突出部２２Ｄは、鉛直方向に沿って所定の間隔をあけて複数並んで形成されている。なお、ロック部材本体２２Ａの表面に突出した突出部２２Ｄを形成する替わりに、複数の凹み（図示省略、滑止め部）を形成するようにしてもよい。
また、図５及び図６に示すように、爪部２２Ｂはロック部材本体２２Ａの状差し部材１４側と反対側に位置する裏面側に形成されている。この爪部２２Ｂは、平面視にて略Ｌ字状となるように形成されている。この爪部２２Ｂは、ロック部材本体２２Ａの裏面から突出した突出片２２Ｂ１と突出片２２Ｂ１に対して略直交する方向に延びた引掛部２２Ｂ２と、で構成されている。この突出片２２Ｂ１が貫通孔２０を貫通し、引掛部２２Ｂ２が裏面と係合することにより、ロック部材２２が支柱部材１６に取り付けられている構成である。この引掛部２２Ｂ２は、図示しないが、支柱部材１６の状差し部材１４側と反対側の裏面１６Ｒから指で接触することができるように、延長接触片を設ける構成やひとつの別パーツを支柱部材１６の裏面１６Ｒ側から前記突出片２２Ｂ１やロック部材本体２２Ａと一体化させる構成を採ることで、操作箇所を状差し１０の外方に臨ませることが可能である。また、引掛部２２Ｂ２及び突出片２２Ｂ１の鉛直方向（図４中矢印Ａ方向）長さが貫通孔２０の鉛直方向（図４中矢印Ａ方向）長さよりも短くなるように形成されているため、ロック部材２２を溝部１６Ｓ上で上下方向（鉛直方向）に移動させることができる。
【００３０】
また、図５及び図６に示すように、支柱部材１６の先端部には、水平方向（図１中矢印Ｃ方向）に沿って延びる回転軸２４が取り付けられている。この回転軸２４には、蓋部材２６が回転軸２４の軸回りに回動可能となるように取り付けられている。蓋部材２６は、平面視（図３参照）にて長方形状となる蓋部材本体２６Ａを備えている。また、蓋部材本体２６Ａの下面には、回転軸２４に取り付けられる取付部２６Ｂが形成されている。この取付部２６Ｂが回転軸２４の軸回り回転することにより蓋部材２６が回転軸２４の軸回りに回動可能となる。また、蓋部材本体２６Ａの下面であって取付部２６Ｂの近傍の位置には、ロック部材２２が上方に移動したときに押上部２２Ｃと接触する接触片２６Ｃが形成されている。また、蓋部材本体２６Ａの下面であって先端部近傍の位置には、状差し部材１４の先端部を覆うカバー部２６Ｄが形成されている。蓋部材本体２６Ａと状差し部材１４の先端部とが接触した状態では、カバー部２６Ｄにより状差し部材１４の先端部及びその近傍が覆われる構成となっている。また、蓋部材２６が上方に最大限に押し上げられた状態（図５の実線に示す状態）では、蓋部材２６の重心の位置が支柱部材１６よりも状差し部材１４側（前方側）に位置するように設定されている。
【００３１】
次に、本実施形態に係る状差しの作用について説明する。
なお、状差し１０の蓋部材２６が状差し部材１４の先端部を覆っている状態を初期位置として以下に説明する。
【００３２】
先ず、図１及び図４に示すように、蓋部材２６が土台部材１２に対して略平行となる状態では、状差し部材１４の先端部及びその近傍が蓋部材２６のカバー部２６Ｄの内部に入り込み、先端部が蓋部材本体２６Ａと接触した接触状態となっている。このように、状差し１０の不使用時には、常に蓋部材２６と状差し部材１４の先端部とが接触しているため、状差し部材１４の先端部を容易に保護することができる。
【００３３】
一方、図５に示すように、記録媒体を状差し部材１４に差し込む場合には、蓋部材２６を回転軸２４の軸回りに回動させて状差し部材１４の先端部を開放する。蓋部材２６を最大限上方に押し上げられた状態（図５の実線で示す状態）で、ロック部材２２を上方にスライド移動させる。このとき、ロック部材２２には複数の突出部２２Ｄが形成されているため、指でロック部材本体２２Ａを操作する場合でも、指がロック部材本体２２Ａに対して滑ることがない。これにより、ロック部材２２の操作性を向上させることができる。
【００３４】
ロック部材２２を上方にスライド移動させていくと、ロック部材２２に形成された押上部２２Ｃが蓋部材２６に形成された接触片２６Ｃと接触する。このとき、図６に示すように、押上部２２Ｃが接触片２６Ｃと接触した状態で、ロック部材２２に形成された凸部２２Ｅが支柱部材１６に形成された凹部１６Ｔと係合する。これにより、ロック部材２２が不意に下方に滑り落ちることなく、最上方位置で静止する。この結果、蓋部材２６を上方に持ち上げた状態を維持することができ、簡易な構成で容易に蓋部材２６と状差し部材１４の先端部との非接触状態を維持することができる。また、この非接触状態では、状差し部材１４の先端部から紙などの記録媒体を続けて差し込むことや抜き出すことが可能となる。このように、本実施形態の状差し１０によれば、記録媒体の状差し部材１４への差し込み作業を単純かつ容易に行うことができる。
【００３５】
なお、上記作用では、先ず、蓋部材２６を指で上方に押し上げ、その後に、ロック部材２２を上方にスライド移動させる順序で説明したが、この順序に限られることない。例えば、蓋部材２６と状差し部材１４の先端部とが接触した状態で、そのままロック部材２２を上方にスライド移動させることにより、接触片２６Ｃが押上部２２Ｃにより上方に押し上げられる。これにより、蓋部材２６が回転軸２４の軸回りを回動し、蓋部材２６が上方に押し上げられる。このように、蓋部材２６を指で上方に押し上げることなく、ロック部材２２を上方にスライド移動させるだけで、蓋部材２６と状差し部材１４の先端部との非接触状態を実現することができる。
【００３６】
次に、記録媒体の状差し部材１４への差し込みが終了して、蓋部材２６と状差し部材１４の先端部とを接触させる場合には、ロック部材２２を下方にスライド移動させる。すなわち、ロック部材本体２２Ａを指で下方に押し下げる。このとき、ロック部材２２には複数の突出部２２Ｄが形成されているため、指でロック部材本体２２Ａを操作する場合でも、指がロック部材本体２２Ａに対して滑ることがない。ロック部材２２を下方にスライド移動させようとすると、ロック部材２２に形成された凸部２２Ｅと支柱部材１６に形成された凹部１６Ｔとの係合が解除され、ロック部材２２が下方にスライド移動する。ロック部材２２が下方にスライド移動すると、押上部２２Ｃも下方に移動していくため、接触片２６Ｃに下方からの圧力が作用しない。ここで、蓋部材２６は最上方位置において蓋部材２６の重心が支柱部材１６よりも状差し部材１４側に位置しているため、蓋部材２６はその自重により回転軸２４の軸回りを下方に向かって回動する。蓋部材２６が下方に向かって回転軸２４の軸回りを回動していくと、やがて、状差し部材１４の先端部とその近傍が蓋部材２６に形成されたカバー部２６Ｄの中に入り込み、蓋部材本体２６Ａと状差し部材１４の先端部とが接触する。これにより、図１乃至図４に示すように、頭蓋部材２６と状差し部材１４の先端部との接触状態を実現することができる。このように、本実施形態の状差し１０では、ロック部材２２を下方にスライド移動させるだけで、自動的に蓋部材２６と状差し部材１４とを接触させることができる。
【００３７】
なお、上記作用では、ロック部材２２を指で下方にスライド移動させ、蓋部材２６を自動的に下方に回動させる順序で説明したが、この順序に限られることない。例えば、ロック部材２２に形成された凸部２２Ｅが支柱部材１６に形成された凹部１６Ｔと係合し、蓋部材２６が最上方位置にある状態で、そのまま、蓋部材２６を下方に向かって回転軸２４の軸回りに回動させることにより、蓋部材２６で状差し部材１４の先端部を覆うようにしてもよい。このとき、ロック部材２２に形成された凸部２２Ｅと支柱部材１６に形成された凹部１６Ｔとの係合が解除され、ロック部材２２は下方にスライド移動する。
【００３８】
また、上記実施形態では、ロック部材２２に凸部（ストッパー部、係合部）２２Ｅを形成し、かつ支柱部材１６に凹部（ストッパー部、被係合部）１６Ｔを形成した構成を説明したが、これに限られるものではなく、例えば、ロック部材２２に凹部（ストッパー部、係合部）を形成し、かつ支柱部材１６に凸部（ストッパー部、被係合部）を形成し、両者を係合させるようにしてもよい。特に、ストッパー部を凸部と凹部で構成することにより、ストッパー部を簡易な構成にすることができる。
【００３９】
また、上記実施形態では、蓋部材２６の一部にロック部材２２の押上部２２Ｃと接触する接触片２６Ｃを形成したことにより、蓋部材２６とロック部材２２とを接触させるために蓋部材２６全体を大型化させる必要がない。この結果、状差し１０を小型化することができる。
【００４０】
また、ロック部材２２のロック部材本体２２Ａ又は爪部２２Ｂに操作片（図示省略、操作部）を取り付け、あるいは一体形成し、この操作片を貫通孔２０に通して支柱部材１６の裏面側に突出させるように構成してもよい。これにより、操作片を指で上下に操作することにより、容易にロック部材２２を上下にスライド移動させることができる。これにより、複数枚の記録媒体が状差し部材１４に差し込まれて積層されている状態でも、操作片によりロック部材２２を容易に操作することができる。
なお、上記操作片は、貫通孔２０を通して支柱部材１６の裏面側に突出させる構成に限られるものではなく、支柱部材１６の表面上であってかつ記録媒体が状差し部材１４に差し込まれて積層された積層領域に臨む部位以外の部位に設けられていれば、記録媒体が状差し部材１４に差し込まれて積層されている状態でも、操作片によりロック部材２２を容易に操作することができる。
【図面の簡単な説明】
【００４１】
【図１】本発明の一実施形態に係る状差しの正面図である。
【図２】本発明の一実施形態に係る状差しの右側面図である。
【図３】本発明の一実施形態に係る状差しの平面図である。
【図４】本発明の一実施形態に係る状差しの背面図である。
【図５】本発明の一実施形態に係る状差しの作用図である。
【図６】本発明の一実施形態に係る状差しの要部を示した部分的な側面図である。
【符号の説明】
【００４２】
１０        状差し
１４        状差し部材
１６        支柱部材
１６Ｔ      凹部（ストッパー部、被係合部）
２２        ロック部材
２２Ｃ      押上部
２２Ｄ      突出部（滑止め部）
２２Ｅ      凸部（ストッパー部、係合部）
２６        蓋部材
２６Ｃ      接触片
【図１】
2006159710.tif 000003
【図２】
2006159710.tif 000004
【図３】
2006159710.tif 000005
【図４】
2006159710.tif 000006
【図５】
2006159710.tif 000007
【図６】
2006159710.tif 000008